(57)【要約】【課題】ねずみなどの小動物が侵入するのを防ぐための、忌避効果が高くて人体に無害であり、取り扱いが容易な小動物忌避材、及び、これを用いた小動物忌避方法を提供することである。【解決手段】高さが１ｃｍ以上１０ｃｍ以下であって、高剛性の繊維１２によって毛羽立ち状に覆われた小動物忌避材１０とされることである。そして特に、略球状の小動物忌避材１０とされることであり、高剛性の繊維１２として平均線径１０μｍ以上１００μｍ以下の金属ウールが用いられることであり、磁石からなる芯材１４が用いられることである。また、これらの小動物忌避材１０を、ねずみなどの小動物の通路に敷設して、小動物の侵入を阻止することである。【選択図】  図１
2004329080.tif 000002
【特許請求の範囲】
【請求項１】
高さが１ｃｍ上１０ｃｍ以下であって、高剛性の繊維によって毛羽立ち状に覆われた小動物忌避材。
【請求項２】
略球状とされた、請求項１に記載の小動物忌避材。
【請求項３】
前記繊維が、平均線径１０μｍ以上１００μｍ以下の金属ウールである、請求項１又は請求項２に記載の小動物忌避材。
【請求項４】
磁石からなる芯材が用いられた、請求項１乃至請求項３のいずれかに記載の小動物忌避材。
【請求項５】
高さが１ｃｍ以上１０ｃｍ以下であって、高剛性の繊維によって毛羽立ち状に覆われた小動物忌避材を、小動物の通路に敷設することを特徴とする小動物忌避方法。
【発明の詳細な説明】
【０００１】
【発明の属する技術分野】
本発明は、ねずみなどの小動物の侵入活動を制するための小動物忌避材及び小動物忌避方法に関する。
【０００２】
【発明が解決しようとする課題】
ねずみ、いたち、猫などの小動物は、人家や庭に侵入して食物を漁ったり、糞尿を撒き散らしたりする招かざる客であるが、その侵入を防ぐのは非常に難しい。例えば、物理的に通路を完全に塞ぐというのは不可能に近いし、毒餌を用いることは幼児が食する危険を伴なう。あるいは、忌避臭を利用することもできるが、この忌避臭は人間にも不快である上、小動物がすぐに慣れてしまって効果が長続きしないという問題がある。また、これら小動物の通路に、剣山状にピンの針先を上に向けた忌避材を敷設することが提案（新実登３０１５２４５号）されているが、忌避材の製作コストが高くつくし、人間が踏んで怪我する恐れもある。
【０００３】
そこで本発明者は、忌避効果が高くて長期間持続し、人間に対して安全で、コストが低い小動物忌避材及び小動物忌避方法を提供するべく鋭意検討を重ねた結果、本発明に至ったのである。
【０００４】
【課題を解決するための手段】
本発明に係わる小動物忌避材の要旨とするところは、高さが１ｃｍ以上１０ｃｍ以下であって、高剛性の繊維によって毛羽立ち状に覆われた小動物忌避材とすることにある。
【０００５】
さらに、かかる小動物忌避材が略球状とされることにある。
【０００６】
またさらに、かかる小動物忌避材において、平均線径が１０μｍ以上１００μｍ以下の金属ウールが用いられることにある。
【０００７】
またさらに、かかる小動物忌避材に、磁石からなる芯材が用いられることにある。
【０００８】
また、本発明に係わる小動物忌避方法の要旨とするところは、高さが１ｃｍ以上１０ｃｍ以下であって、高剛性の繊維によって毛羽立ち状に覆われた小動物忌避材を、小動物の通路に敷設することにある。
【０００９】
【発明の実施の形態】
次に、本発明に係わる小動物忌避材及び小動物忌避方法の実施態様について、図面に基づいて詳しく説明する。
【００１０】
図１は本発明に係わる小動物忌避材の一例を示している。小動物忌避材１０は略球形で、芯材１４を繊維層１２で囲む構成になっており、繊維層１２は内側の内層１２１と表面の毛羽層１２２とからなっている。しかしながら、内層１２１と表面の毛羽層１２２との境界は、図１で模式的に描かれているほど明確ではない。小動物忌避材１０の高さは１ｃｍ以上１０ｃｍ以下であり、特に好ましくは２ｃｍ以上７ｃｍ以下とされる。また、毛羽層１２２の厚さは２ｍｍ以上が好ましく、特に好ましくは５ｍｍ以上とされる。
【００１１】
小動物忌避材１０は、ねずみなどの小動物の通路に置いて用いられる。ねずみなどは、小動物忌避材１０の毛羽だった繊維に触れるのを嫌い、この通路を忌避して通らなくなる。忌避効果は顔などの敏感な部分に触れるほど高くなるので、忌避対象とする小動物の大きさに合わせて、小動物忌避材１０の高さを最適に選択しなければならない。この高さが１ｃｍ以下であれば、ねずみなどが跨いで飛び越すことができるので忌避効果が小さくて好ましくなく、１０ｃｍ以上であれば、ねずみなどの大きさと較べて過度に高いため、大きくすることに伴なう製造コストの上昇分が無駄となるので好ましくない。
【００１２】
小動物忌避材１０の形状は、必要な高さが確保されていればよく特に限定されない。図１に示される小動物忌避材１０は略球状であるが、その他の幾つかの例を図２に示す。すなわち、同図（ａ）には半球状の、同図（ｂ）には円筒状の、同図（ｃ）には蒲鉾状の、同図（ｄ）には角柱状の小動物忌避材１０が例示されている。
【００１３】
ねずみなどの通路は、幅や高さや曲がり方などが千差万別であり、ある形状の小動物忌避材１０を一個だけ用いて、どの通路に対しても汎用的に対処するのは非常に難しい。個々の通路の状況に応じ、幾つかの小動物忌避材１０を組み合わせて通路を塞ぐ最善の配置をとるのが有効である。球は、互いにどの方向でも自由に連結できる最も単純な形状なので、幾つかを組み合わせてどんな複雑な通路にでも対応できる。本発明の特に好ましい実施態様では、略球状の小動物忌避材１０とされる。
【００１４】
小動物忌避材１０の表面は高剛性の繊維によって毛羽立ち状に覆われている。図１に示される小動物忌避材１０では、ウール状の繊維層１２の表面が起毛されて毛羽層１２２が形成されているが、毛羽立ちさせる手段は起毛だけに限定されず、植毛などの他の適当な手段によってもよい。また、毛羽立ち状に覆われるのは、必ずしも小動物忌避材１０の全表面である必要はなく、小動物と接触する可能性のある部分、すなわち、底面を除く表面が毛羽立ち状に覆われていればよい。
【００１５】
図３は、小動物忌避材１０の他の一例を示し、半球状の芯材１４に合成樹脂からなるテグスが植毛されている。底面１６には植毛されていない。また、電気植毛によるため、繊維層１２にある繊維は、芯材１４から放射状に直立している。
【００１６】
毛羽立つ繊維には、触れた時にねずみなどを強く刺激するための、高い剛性が要請される。本発明に用いられる高剛性の繊維としては、炭素繊維やガラス繊維やアスベストなどのセラミック繊維、テグスなどの合成繊維、各種金属繊維等々が挙げられるが、これらの例示に限定されるものではない。金属繊維の中でも、いわゆる金属ウールと呼ばれる綿状の金属繊維は特に有用である。金属ウールは、異形断面で複雑に屈曲した繊維からなり、繊維間がよく絡合していて嵩高である。このため、個々の繊維の剛性が高い割には、全体がソフトで扱い易い素材であり、これを芯材１４に巻き付けた後、表面を起毛することによって小動物忌避材１０を容易に得ることができる。
【００１７】
本発明者は、鋼、ステンレス鋼、銅、黄銅などからなる種々の金属ウールを用いて小動物忌避材１０を製作し、数多くの実用試験を行った結果、平均線径が１０μｍ以上１００μｍ以下の金属ウールを用いることによって、格別の忌避効果と高い実用性を確認できた。線径が小さ過ぎれば忌避効果が小さく、線径が大き過ぎれば指先などを痛く刺激するようになるので好ましくない。
【００１８】
小動物忌避材１０は、芯材１４なしでも、例えば比較的太い繊維からなる金属ウールを丸めることなどで製作することができる。しかしながら、芯材１４なしでは形状が安定しないでへたりやすく、忌避効果に必要な高さを維持できないことがあるので、形状安定性に優れた芯材１４を用いるのが便利である。芯材１４の材質は特に限定されない。プラスチック、木、金属、セラミック等々を用いることができる。発泡プラスチックやスポンジなどを用いれば、軽量化や低コスト化が可能になる。
【００１９】
磁石からなる芯材１４を用いれば、小動物忌避材１０どうしを磁力によって連結することができるので大変便利である。上述したように、ねずみなどの通路形状は千差万別で、その形状に合わせて幾つかの小動物忌避材１０を配置し通路を塞ぐのであるが、個々の小動物忌避材１０が離散しないように、好ましい組み合せ状態で連結・維持されるのが望ましい。図４には、３個の小動物忌避材１０が、磁石からなる芯材１４の磁力によって、横一列に連結された例が示されているが、勿論、上下・前後への連結も可能である。繊維層１２として鋼からなる金属ウールが用いられれば、磁力の伝達に優れているので、小動物忌避材１０どうしの連結がさらに容易になる。
【００２０】
以上、本発明に係わる小動物忌避材及び小動物忌避方法について詳細に説明してきたが、本発明は上述の引用・例示に限定されず、小動物忌避材の形状や構成や製作方法、高剛性繊維の種類、芯材の材質や形状、小動物忌避材の敷設手段等々につき、本発明の趣旨を逸脱しない範囲で、当業者の知識に基づき種々なる改良、修正、変化を加えた態様で実施し得るものである。
【００２１】
次ぎに、本発明の実施例を詳しく説明する。
【００２２】
実施例１
図１に示されるのと同様の略球状の小動物忌避材１０を製作した。ＫＳ鋼からなる磁石の芯材１４に、鋼からなる金属ウール（日本スチールウール株式会社製、平均線径２５μｍ）を巻き付けて繊維層１２とし、表面を毛羽立てて毛羽層１２２を形成した。小動物忌避材１０の大きさは約３ｃｍ、毛羽層１２２の厚みは約６ｍｍであった。
【００２３】
【発明の効果】
本発明に係わる小動物忌避材によれば、ねずみなどが触れやすい高さの１ｃｍ以上１０ｃｍ以下とされており、高剛性の繊維によって毛羽立ち状に覆われているので、ねずみなどが触れると痛みや不快感を感じる。このため、ねずみなどの小動物の通路に敷設されると、ねずみなどがこの小動物忌避材に触れるのを嫌がって通路を通らなくなり、その侵入を防ぐことができるようになる。
【００２４】
そして、この小動物忌避材に用いられる高剛性の繊維は、毛羽立てられても、針先のように固くも鋭くもないので、人体に安全であり使い勝手が良好である。
【００２５】
また、この小動物忌避材の忌避効果は物理的なので、忌避臭利用の忌避材のように経時的に効果が低下するようなことはなく、長期間効果が持続する。このため使用コストも低減される。
【００２６】
そして特に、小動物忌避材の形を略球状とすることにより、互いにどの方向でも自由に連結できるようになるので、幾つかを適切な形に組み合わせ、ねずみなどのどんな複雑な通路にでも、容易に対応できるようになる。
【００２７】
また特に、高剛性繊維として、平均線径が１０μｍ以上１００μｍ以下の金属ウールを用いることにより、その嵩高性や柔軟性を利用して小動物忌避材を容易に成形することができるようになる。また、金属繊維の線径に基づく剛性が適度に選択されているので、忌避効果が一層高められる一方、指先などを痛く刺激するなどの問題も生じずに実用性が高くなる。
【００２８】
また特に、磁石からなる芯材を用いることにより、その磁力を利用して、小動物忌避材どうしを互いに連結できるようになるので、ねずみなどの千差万別の通路形状に合わせて配置した幾つかの小動物忌避材を、個々に離散しないように、好ましい組み合せ状態で連結・維持することができるようになる。
【００２９】
また、本発明に係わる小動物忌避方法によれば、人体に安全で無害な小動物忌避材を、ねずみなどの小動物の通路に敷設するだけなので、幼児などが怪我したり不快になったりすることがない。また、小動物忌避材の忌避効果が物理的なので、長期間にわたる実施あるいは再実施が可能である。
【図面の簡単な説明】
【図１】本発明に係わる小動物忌避材の一例を示す縦断面図である。
【図２】本発明に係わる小動物忌避材の形状例を示す斜視図であり、同図（ａ）は半球状、同図（ｂ）は円筒状、同図（ｃ）は蒲鉾状、同図（ｄ）は角柱状の小動物忌避材を示す。
【図３】本発明に係わる小動物忌避材の他の一例を示す縦断面図である。
【図４】本発明に係わり、小動物忌避材の連結例を示す縦断面図である。
【符号の説明】
１０：小動物忌避材
１２：繊維層
１２１：内層
１２２：毛羽層
１４：芯材
１６：底面
【図１】
2004329080.tif 000003
【図２】
2004329080.tif 000004
【図３】
2004329080.tif 000005
【図４】
2004329080.tif 000006